(57)【特許請求の範囲】
【請求項１】
車両の所定位置に配置され、車両の側面衝突時又はロールオーバー時に作動してガスを噴出するインフレータと、
このインフレータと接続されると共に乗員の頭部を保護する膨張部を備えており、車両上下方向に折り畳まれた状態で車両のルーフサイドレール部に沿って格納されると共に上端部が当該ルーフサイドレール部に固定され、更にインフレータからのガスの供給により膨張して車室内側の側部に車両下方側へ向けて展開するエアバッグと、
を有する頭部保護エアバッグ装置であって、
前記エアバッグにおける膨張部の下方側に位置する下方端末部に一方の端部が固定されると共に他方の端部がルーフサイドレール部に固定され、当該一方の端部と他方の端部との間の部分を成す中間部にて折り畳み状態のエアバッグの車室内側となる部分を覆い、更に当該中間部における他方の端部側にエアバッグの膨張開始時には破断せず膨張圧が所定値に達すると破断してエアバッグの展開を許容する脆弱部が設けられた展開方向規制手段を有し、
さらに、前記展開方向規制手段は、車両側面視で矩形状に形成されると共に一方の端部が前記下方端末部に固定された展開方向規制布と、当該展開方向規制布の他方の端部に一体にかつ前記展開方向規制布よりも小さい舌片状に形成されると共に根元に前記脆弱部が形成された取付部と、を備えている、
ことを特徴とする頭部保護エアバッグ装置。
【請求項２】
前記展開方向規制手段は柔軟な材料によって構成されており、
さらに、前記脆弱部はミシン目によって構成されている、
ことを特徴とする請求項１記載の頭部保護エアバッグ装置。
【請求項３】
前記展開方向規制手段の他方の端部は、前記エアバッグの上端部と一緒にルーフサイドレール部又はルーフサイドレール部に取り付けられた部材に共締めされている、
ことを特徴とする請求項１又は請求項２記載の頭部保護エアバッグ装置。
【発明の詳細な説明】
【技術分野】
【０００１】
本発明は、車両の側面衝突時又はロールオーバー時に車室内側の側部に車両下方側へ向けてエアバッグを展開させる頭部保護エアバッグ装置に係り、特にエアバッグの下端末の車室内突起物への引っ掛かりを抑制することを可能とした頭部保護エアバッグ装置に関する。
【背景技術】
【０００２】
近年、乗員保護補助装置として、側面衝突時又はロールオーバー時に、ルーフサイドレール部の下方へカーテン状にエアバッグを展開させる頭部保護エアバッグ装置が搭載されるようになってきた。
【０００３】
ここで、下記特許文献１には、この種の頭部保護エアバッグ装置が開示されている。簡単に説明すると、この頭部保護エアバッグ装置では、エアバッグの上部が蛇腹折りされ、下部が上部の車室内側へ折り返されて上部の上面中央に下部端末がくるように折り畳まれている。これにより、エアバッグの展開時に、折り返された下部が車室内側へ向けて押出されるように膨張し、スリップジョイント等の車室内突起物への引っ掛かりを抑制している。
【特許文献１】特許第３３５３７２２号公報
【特許文献２】特許第３１０７０７２号公報
【発明の開示】
【発明が解決しようとする課題】
【０００４】
しかしながら、上記特許文献１に開示された頭部保護エアバッグ装置による場合、エアバッグの展開時の初期の膨張の仕方によっては、エアバッグ全体が車室外側へ回転し、車室内側へ折り返された下部も車室外側へ持っていかれる可能性がある。つまり、エアバッグ展開時、蛇腹折りされた上部の上側から順にガスが流入して膨張していくが、このとき最初の膨張によって残りの蛇腹部分（まだ膨張していない部分）が車両下方側への押圧力を受け、その結果、エアバッグ全体が上端側のボルト締結点を中心として車室外側への回転モーメントを受け、車室外側へ回転しようとする。それに伴って、車室内側に折り曲げられた下部も上部に引きずられて車室外側へ移動される。上記より、エアバッグの展開時に、エアバッグの下部の端末の位置が安定せず、初期の目的である車室内突起物への引っ掛かりの抑制効果が充分に発揮されないことも考えられる。
【０００５】
本発明は上記事実を考慮し、エアバッグの展開時にエアバッグの下端末が車室内突起物に引っ掛かるのを確実に抑制することができる頭部保護エアバッグ装置を得ることが目的である。
【課題を解決するための手段】
【０００６】
請求項１記載の本発明に係る頭部保護エアバッグ装置は、車両の所定位置に配置され、車両の側面衝突時又はロールオーバー時に作動してガスを噴出するインフレータと、このインフレータと接続されると共に乗員の頭部を保護する膨張部を備えており、車両上下方向に折り畳まれた状態で車両のルーフサイドレール部に沿って格納されると共に上端部が当該ルーフサイドレール部に固定され、更にインフレータからのガスの供給により膨張して車室内側の側部に車両下方側へ向けて展開するエアバッグと、を有する頭部保護エアバッグ装置であって、前記エアバッグにおける膨張部の下方側に位置する下方端末部に一方の端部が固定されると共に他方の端部がルーフサイドレール部に固定され、当該一方の端部と他方の端部との間の部分を成す中間部にて折り畳み状態のエアバッグの車室内側となる部分を覆い、更に当該中間部における他方の端部側にエアバッグの膨張開始時には破断せず膨張圧が所定値に達すると破断してエアバッグの展開を許容する脆弱部が設けられた展開方向規制手段を有し、さらに、前記展開方向規制手段は、車両側面視で矩形状に形成されると共に一方の端部が前記下方端末部に固定された展開方向規制布と、当該展開方向規制布の他方の端部に一体にかつ前記展開方向規制布よりも小さい舌片状に形成されると共に根元に前記脆弱部が形成された取付部と、を備えている、ことを特徴としている。
【０００７】
請求項２記載の本発明に係る頭部保護エアバッグ装置は、請求項１記載の発明において、前記展開方向規制手段は柔軟な材料によって構成されており、さらに、前記脆弱部はミシン目によって構成されている、ことを特徴としている。
【０００８】
請求項３記載の本発明に係る頭部保護エアバッグ装置は、請求項１又は請求項２記載の発明において、前記展開方向規制手段の他方の端部は、前記エアバッグの上端部と一緒にルーフサイドレール部又はルーフサイドレール部に取り付けられた部材に共締めされている、ことを特徴としている。
【０００９】
請求項１記載の本発明によれば、車両の側面衝突時又はロールオーバー時になると、インフレータが作動し、車両のルーフサイドレール部に沿って車両上下方向に折り畳まれた状態で格納されたエアバッグの膨張部内へガスが供給される。このため、エアバッグが車室内側の側部に車両下方側へ向けて展開される。これにより、乗員の頭部は当該膨張部によって保護される。
【００１０】
ここで、本発明では、エアバッグにおける膨張部の下方側に位置する下方端末部に一方の端部が固定されると共に他方の端部がルーフサイドレール部に固定され、当該一方の端部と他方の端部との間の部分を成す中間部にて折り畳み状態のエアバッグの車室内側となる部分を覆う展開方向規制手段を備えており、更に当該中間部における他方の端部側に脆弱部が設けられている。かかる脆弱部はエアバッグの膨張開始時には破断しないため、折り畳み状態のエアバッグ内に上方側からガスが供給されて膨らむと、当該膨らみの径が増加するにつれて展開方向規制手段によってエアバッグの下方端末部が車室内側へ引っ張られる。つまり、エアバッグの展開方向が車室内突起物から離間する方向へ規制され、エアバッグは車室内突起物から遠ざけられる。その後、脆弱部に作用する膨張圧が所定値に達すると、脆弱部は破断してエアバッグの展開が許容される。
さらに、本発明では、上記の展開方向規制手段は、車両側面視で矩形状に形成されると共に一方の端部が下方端末部に固定された展開方向規制布と、当該展開方向規制布の他方の端部に一体にかつ展開方向規制布よりも小さい舌片状に形成されると共に根元に脆弱部が形成された取付部と、を備えているので、取付部の根元に設定された脆弱部が破断するとエアバッグの展開が許容されることになる。
【００１１】
請求項２記載の本発明によれば、展開方向規制手段は柔軟な材料によって構成されており、さらに、脆弱部はミシン目によって構成されているので、展開方向規制手段の材質やミシン目のスリットピッチやスリットの長さを変更することにより、エアバッグの展開方向を容易に変更することができる。
【００１２】
請求項３記載の本発明によれば、展開方向規制手段の他方の端部がエアバッグの上端部と一緒にルーフサイドレール部又はルーフサイドレール部に取り付けられた部材に共締めされているので、展開方向規制手段をルーフサイドレール部又はルーフサイドレール部に取り付けられた部材に固定するための専用固定手段が不要である。
【発明の効果】
【００１３】
以上説明したように、請求項１記載の本発明に係る頭部保護エアバッグ装置は、車両の側面衝突時又はロールオーバー時にインフレータからのガスの供給により膨張して車室内側の側部に車両下方側へ向けて展開するエアバッグにおける膨張部の下方側に位置する下方端末部に一方の端部が固定されると共に、他方の端部がルーフサイドレール部に固定され、当該一方の端部と他方の端部との間の部分を成す中間部にて折り畳み状態のエアバッグの車室内側となる部分を覆い、更に当該中間部における他方の端部側にエアバッグの膨張開始時には破断せず膨張圧が所定値に達すると破断してエアバッグの展開を許容する脆弱部が設けられた展開方向規制手段を有し、さらに展開方向規制手段は、車両側面視で矩形状に形成されると共に一方の端部が下方端末部に固定された展開方向規制布と、当該展開方向規制布の他方の端部に一体にかつ展開方向規制布よりも小さい舌片状に形成されると共に根元に脆弱部が形成された取付部と、を備えているので、エアバッグの膨張開始時の脆弱部非破断時にエアバッグの下方端末部を車室内側へ回動させることができ、エアバッグの展開時にエアバッグの下端末が車室内突起物に引っ掛かるのを確実に抑制することができるという優れた効果を有する。
【００１４】
請求項２記載の本発明に係る頭部保護エアバッグ装置は、請求項１記載の発明において、展開方向規制手段は柔軟な材料によって構成されており、さらに、脆弱部はミシン目によって構成されているので、展開方向規制手段の材質やミシン目のスリットピッチやスリットの長さを変更することにより、エアバッグの展開方向を容易に変更することができ、その結果、エアバッグが車室内側へ展開し過ぎてヘッドレストに乗り上げるのを抑制又は防止することができるという優れた効果を有する。
【００１５】
請求項３記載の本発明に係る頭部保護エアバッグ装置は、請求項１又は請求項２記載の発明において、展開方向規制手段の他方の端部がエアバッグの上端部と一緒にルーフサイドレール部又はルーフサイドレール部に取り付けられた部材に共締めされているので、展開方向規制手段をルーフサイドレール部又はルーフサイドレール部に取り付けられた部材に固定するための専用固定手段が不要になり、その結果、頭部保護エアバッグ装置の低コスト化を図ることができるという優れた効果を有する。
【発明を実施するための最良の形態】
【００１６】
以下、図１〜図４を用いて、本発明に係る頭部保護エアバッグ装置の一実施形態について説明する。なお、これらの図において適宜示される矢印ＦＲは車両前方側を示しており、矢印ＵＰは車両上方側を示しており、矢印ＩＮは車両幅方向内側を示している。
【００１７】
図１には、本実施形態に係る頭部保護エアバッグ装置１０が作動してエアバッグ１６が展開した状態が側面視で示されている。この図に示されるように、頭部保護エアバッグ装置１０は、作動することによりガスを噴出する円柱形状のインフレータ１２と、このインフレータ１２のガス噴出部と接続されると共に通常は車両上下方向に折り畳まれて車両前後方向に長い長尺状とされてルーフサイドレール部１４に沿って格納されたエアバッグ１６と、を備えている。
【００１８】
なお、インフレータ１２は、車体側部の所定位置に配置された図示しない側面衝突センサによって側面衝突状態が検知された場合並びに車体中央部付近に配置された図示しないロールオーバーセンサによって車両のロールオーバー状態が検知された場合に、図示しないエアバッグＥＣＵによって作動されるようになっている。
【００１９】
エアバッグ１６の外周上縁部には所定の間隔で固定点１８（後述するボルト６０の締結点）が設定されており、当該固定点１８にてエアバッグ１６はフロントピラー（Ａピラー）２０、ルーフサイドレール部１４、クォータピラー（Ｃピラー）２２といったボディー側構成要素に支持されている。
【００２０】
また、エアバッグ１６は、フロントシート２６に着座する乗員の頭部を保護する前方側膨張部（前席用膨張部）２８と、リヤシート３０に着座する乗員の頭部を保護する後方側膨張部（後席用膨張部）３２と、前方側膨張部２８と後方側膨張部３２との間に配置された矩形平面状の非膨張部３４と、非膨張部３４の下端部に沿って車両前後方向に延在し前方側膨張部２８と後方側膨張部３２とを下端側にて連通する下端側膨張部３６と、非膨張部３４の上端部に沿って車両前後方向に延在し前方側膨張部２８と後方側膨張部３２とを上端側にて連通する上端側膨張部３７と、によって構成されている。前方側膨張部２８及び後方側膨張部３２は、車両上下方向に長い円筒状の複数のセル３８を車両前後方向に隣接して配置することにより構成されている。
【００２１】
さらに、エアバッグ１６の上端側膨張部３７の前後方向中間部には、インフレータ１２のガス噴出部に接続されるガス導入部４０が設けられている。このガス導入部４０にインフレータ１２のガス噴出部が挿入された状態で一対の取付ブラケット４２によって車体側に固定されている。つまり、この実施形態の頭部保護エアバッグ装置１０では、インフレータ１２がエアバッグ１６の上縁側中央部付近に配置されるインフレータ中央配置タイプを採用している。
【００２２】
ここで、図２に示されるように、上述したエアバッグ１６の外周部は非膨張部として構成されており、前側膨張部２８、後方側膨張部３２、下端側膨張部３６の下方側に位置する下方端末部４４には、前側膨張部２８及び後方側膨張部３２の各々に対応して展開方向規制手段としての展開方向規制布４６が取り付けられている。
【００２３】
より詳細に説明すると、前後一対の展開方向規制布４６はエアバッグ１６とは別体として構成されている。また、各展開方向規制布４６は車両側面視で矩形状に形成（裁断）されており、材質はエアバッグ１６を構成する基布と同じ布が使用されている。但し、異なる材質のものを使用しても差し支えない。この展開方向規制布４６の一方の端部である上端部４６Ａは、エアバッグ１６の下方端末部４４に縫製されている（以下、この縫製された部分を「縫製部４８」と称す。）。また、展開方向規制布４６の他方の端部である下端部４６Ｂの中央には、舌片状の取付部５０が一体に形成されている。取付部５０はエアバッグ１６を車体側に固定している取付片５４と同様の方形状を成しており、中央部にはボルト挿通孔５６が形成されている。さらに、取付部５０の根元（展開方向規制布４６の下縁上の位置）には、車両前後方向に沿って脆弱部としてのミシン目５８が形成されている。従って、展開方向規制布４６はミシン目５８の形成位置にて低強度化されている。つまり、展開方向規制布４６は、ミシン目５８に沿って破断し易くなっている。
【００２４】
図３には、上述したエアバッグ１６が車両上下方向に蛇腹折りにて折り畳まれて車両に搭載された状態の縦断面図（図１の３‐３線断面図）が示されている。また、図４には、頭部保護エアバッグ装置１０が作動してエアバッグ１６が展開し始めた状態の縦断面図が示されている。
【００２５】
これらの図に示されるように、展開方向規制布４６の中間部４６Ｃ（上端部４６Ａと下端部４６Ｂとの間の部分）は、折り畳み状態のエアバッグ１６の車室内側となる部分を覆うようにして配置されている。そして、この状態で展開方向規制布４６の取付部５０がエアバッグ１６の取付片５４に重合されて、ボルト６０が車室内側から挿入されて、ルーフサイドレールインナパネル６４の外側面に予め固着されたウエルドナット６２に螺合されることにより、展開方向規制布４６の他方の端部である下端部４６Ｂ側がルーフサイドレールインナパネル６４に固定されている。つまり、展開方向規制布４６の取付部５０は、エアバッグ１６の取付片５４と一緒に重ねられてルーフサイドレールインナパネル６４に共締めされている。
【００２６】
なお、ルーフサイドレール６６は、車室内側に配置されるルーフサイドレールインナパネル６４と、車室外側に配置されてルーフサイドレールインナパネル６４とで閉断面を構成するルーフサイドレールアウタパネル６８と、によって構成されている。また、ルーフサイドレールインナパネル６４の車室内側には、ルーフヘッドライニング７０の車両幅方向の端末部７０Ａが所定距離だけ離間して配置されている。このルーフヘッドライニング７０の端末部７０Ａとルーフサイドレールインナパネル６４との間に所定の隙間７２が形成され、この隙間７２にエアバッグ１６が格納されている。また、ルーフサイドレール６６の下側のフランジ部には、オープニングウエザストリップ７４が弾性的に嵌着されている。
【００２７】
さらに、上述した展開方向規制布４６の取付部５０に形成されたミシン目５８の破断荷重は、エアバッグ１６の前方側膨張部２８、後方側膨張部３２の初期膨張圧が所定値に達した時点、即ちエアバッグ１６の膨張開始時には破断せず、図４に示されるように蛇腹折りされたエアバッグ１６の初期膨張部７６が膨らんで、エアバッグ１６の下方端末部４４が展開方向規制布４６によって車室内側かつ車両上方側（図４の矢印Ｐ方向）へ引っ張られながら持ち上げられて、展開途中のエアバッグ１６が固定点（ボルト６０）回りに全体的に所定角度車室内側へ回転したとき（つまり、エアバッグ１６の展開方向の規制が完了したとき）に破断する荷重に設定されている。
【００２８】
なお、図３に示されるように、ミシン目５８は、車両搭載状態において蛇腹折りされたエアバッグ１６の上面部の中央に配置されている。但し、ミシン目５８の配置位置は、エアバッグ１６の上面部に限定されず、エアバッグ１６の側面に配置してもよい。
【００２９】
（作用・効果）
次に、本実施形態の作用並びに効果を説明する。
【００３０】
車両の側面衝突時又はロールオーバー時になると、側面衝突センサ又はロールオーバーセンサによってその状態が検知され、エアバッグＥＣＵに入力される。エアバッグＥＣＵによって側面衝突又はロールオーバーと判断されると、インフレータ１２が作動して、車両のルーフサイドレール部１４に沿って折り畳み状態で格納されたエアバッグ１６内へガスが供給される。
【００３１】
具体的には、エアバッグ１６のガス導入部４０からガスが供給されて、前方側膨張部２８、上端側膨張部３７、後方側膨張部３２、及び下端側膨張部３６を膨張させながら、エアバッグ１６を車室内側の側部に車両下方側へ向けてカーテン状に展開させる。これにより、フロントシート２６に着座する乗員の頭部が前方側膨張部２８によって保護されると共に、リヤシート３０に着座する乗員の頭部が後方側膨張部３２によって保護される。
【００３２】
ここで、本実施形態に係る頭部保護エアバッグ装置１０では、エアバッグ１６における前方側膨張部２８及び後方側膨張部３２の下方側に位置する下方端末部４４に展開方向規制布４６の上端部４６Ａを縫製すると共に、下端部４６Ｂを上方のルーフサイドレールインナパネル６４側に折り曲げ、取付部５０をボルト６０で固定し、中間部４６Ｃで折り畳み状態のエアバッグ１６の車室内側となる部分を覆い、更に当該中間部４６Ｃにおけるボルト締結点近傍位置に前述した破断荷重に設定されたミシン目５８を入れたので、エアバッグ１６の展開方向を車室内突起物に引っ掛からない適切な方向に規制することができる。
【００３３】
すなわち、図４に示されるように、エアバッグ１６の膨張開始時には展開方向規制布４６の取付部５０に設けたミシン目５８は破断せず、折り畳み状態のエアバッグ１６内に上方側からガスが供給されて初期膨張部７６が膨らんで、当該初期膨張部７６の膨らみの径が増加するにつれて展開方向規制布４６によってエアバッグ１６の下方端末部４４が車室内側かつ車両上方側（図４の矢印Ｐ方向）へ引っ張られながら持ち上げられて、展開途中のエアバッグ１６が固定点（ボルト６０）回りに全体的に所定角度車室内側へ回転したとき（つまり、エアバッグ１６の展開方向の規制が完了したとき）にミシン目５８に作用する膨張圧が破断に要する膨張圧に達し、ミシン目５８が破断してエアバッグ１６の残りの部分の膨張展開が許容される。その結果、本実施形態によれば、エアバッグ１６の展開時にエアバッグ１６の下方端末部４４が車室内突起物に引っ掛かるのを確実に抑制することができる。
【００３４】
また、本実施形態に係る頭部保護エアバッグ装置１０では、展開方向規制手段として柔軟な材料（エアバッグ１６の基布と同一の材料）で構成された展開方向規制布４６の取付部５０にミシン目５８を設定する構成としたので、ミシン目５８のスリットピッチやスリットの長さを変更することにより、エアバッグ１６の展開方向を容易に変更することができる。その結果、エアバッグ１６が車室内側へ展開し過ぎてヘッドレストに乗り上げるのを抑制又は防止することができる。なお、ミシン目５８のスリットピッチやスリットの長さを変更する以外にも、展開方向規制布の材質を変えることによっても同様の効果が得られる。
【００３５】
さらに、本実施形態に係る頭部保護エアバッグ装置１０では、展開方向規制布４６の取付部５０をエアバッグ１６の取付片５４と一緒にルーフサイドレールインナパネル６４にボルト６０及びウエルドナット６２で共締めする構成を採ったので、展開方向規制布４６をルーフサイドレール６６に固定するための専用固定手段が不要である。その結果、頭部保護エアバッグ装置の低コスト化を図ることができる。
【００３６】
〔本実施形態の補足説明〕
なお、上述した本実施形態では、フロントシート２６とリヤシート３０の二列シートの車両に対して本発明を適用したが、これに限らず、３列シートの車両に対して本発明を適用してもよい。
【００３７】
また、上述した本実施形態では、エアバッグ１６のガス導入部４０にインフレータ１２のガス噴出部を直接挿入して固定する構成を採ったが、これに限らず、デフューザ（パイプ）等を介してガス導入部４０とインフレータ１２とを接続する構成を採ってもよい。更に補足すると、本実施形態では、インフレータ１２がエアバッグ１６の上縁側の前後方向中間部付近に配置されるインフレータ中央配置タイプを採用しているが、インフレータ１２がクォータピラー２２及び／又はフロントピラー２０に配置される構成を採ってもよい。
【００３８】
さらに、上述した本実施形態では、展開方向規制布４６の取付部５０の基端部にミシン目４８を設定したが、これに限らず、所定の破断荷重で破断可能な脆弱部であればよい。例えば、取付部の両側縁に楔形状等の切れ込みを入れておいてもよいし、ミシン目４８の形成位置の中央部にミシン目４８に替えて楕円形状等の開口部を設けるようにしてもよい。なお、これらの切れ込みや開口部は概念的には肉欠損部といえる。正確には、ミシン目４８も細かなスリットが形成されているので、肉欠損部として把握することも可能である。
【００３９】
また、上述した本実施形態では、展開方向規制布４６の上端部４６Ａをエアバッグ１６の下方端末部４４に縫合して縫製部４８を設ける構成を採ったが、これに限らず、他の固定手段を用いてもよい。
【００４０】
さらに、上述した本実施形態では、展開方向規制布４６をエアバッグ１６とは別体で構成し縫製により一体化する構成を採ったが、これに限らず、展開方向規制布をエアバッグの裁断時に一体に設ける構成を採ってもよい。
【００４１】
また、上述した本実施形態では、エアバッグ１６を蛇腹折りで折り畳んだが、これに限らず、エアバッグをロール折りで折り畳んでもよい。
【００４２】
さらに、上述した本実施形態では、展開方向規制布４６の取付部５０をエアバッグ１６の取付片５４と一緒にルーフサイドレールインナパネル６４にボルト６０で共締めしたが、請求項１及び請求項２記載の本発明には、取付部と取付片とが別個独立にボディーに固定される構成も含まれる。
【００４３】
また、上述した本実施形態では、ルーフサイドレールインナパネル６４（ルーフサイドレール部）にエアバッグ１６の取付片５４と一緒に展開方向規制布４６の取付部５０をボルト６０で共締めする構成を採ったが、これに限らず、ルーフサイドレール部に取り付けられた部材（例えば、エアバッグ１６の展開方向を規制する金属製のジャンプ台（ジャンプブラケット）や断面コ字状に形成されると共にルーフサイドレールインナパネルの略全長に亘って配設されたエアバッグ収納兼展開方向規制用の金属製部材等）にリベット等でかしめて取り付ける構成を採ってもよい。
【図面の簡単な説明】
【００４４】
【図１】本実施形態に係る頭部保護エアバッグ装置が作動してエアバッグが展開した状態を示す側面図である。
【図２】図１に示されるエアバッグを抜き取って単品状態で描いたエアバッグの側面図である。
【図３】車両搭載状態において展開方向規制布の配設位置で切断した状態を示す図１の３‐３線断面図である。
【図４】頭部保護エアバッグ装置が作動してエアバッグが展開し始めた状態を示す図３に対応する縦断面図である。
【符号の説明】
【００４５】
１０      頭部保護エアバッグ装置
１２      インフレータ
１４      ルーフサイドレール部
１６      エアバッグ
２８      前方側膨張部
３２      後方側膨張部
４４      下方端末部
４６      展開方向規制布（展開方向規制手段）
４６Ａ      上端部（一方の端部）
４６Ｂ      下端部（他方の端部）
４６Ｃ      中間部
５０      取付部
５８      ミシン目（脆弱部）
６０      ボルト
６２      ウエルドナット
７６      初期膨張部
【図１】
0004595724.tif 000002
【図２】
0004595724.tif 000003
【図３】
0004595724.tif 000004
【図４】
0004595724.tif 000005